(57)【特許請求の範囲】
【請求項１】
回路基板の実装面上に配される電気コネクタと、該電気コネクタに接続される平型導体とを備える上記電気コネクタと上記平型導体との組立体であって、上記平型導体は、絶縁シートに回路部を設けて形成されていて、前後方向に延びる本体部と、該本体部から前方へ向けて延出する部分に補強板が貼付された接続部とを有し、上記電気コネクタは、上記平型導体の上記接続部を受け入れるための受入空間が後方に開口していると共に後半部が上方に開放して形成されたハウジングと、上記回路基板の実装面に対して平行な一方向を配列方向として上記ハウジングに配列保持され上記平型導体の上記接続部が接続される複数の端子とを有する上記電気コネクタと上記平型導体との組立体において、
上記平型導体は、上記端子の配列方向と同一方向をなす幅方向で上記接続部の両方の側端で上記幅方向外方に延出してから前方へ向け延びることで該側端との間に間隙をもって位置する腕状の被案内部を有し、該被案内部は上記補強板の一部の領域で形成されていて前端が接続部の前端よりも前方に位置しており、上記電気コネクタの上記ハウジングは、上記端子の配列方向で上記平型導体の上記被案内部と対応して上記受入空間の両方の側方位置で上記被案内部の両面を案内する案内部が受入空間よりも前方の位置から後方へ向け開口してスリットとして形成されていることを特徴とする電気コネクタと平型導体との組立体。
【請求項２】
電気コネクタのハウジングの案内部は、端子の配列方向で外方へ向けても開口していることとする請求項１に記載の電気コネクタと平型導体との組立体。
【請求項３】
回路基板の実装面上に配され、平型導体が接続される電気コネクタであって、絶縁シートに回路部を設けて形成されていて前後方向に延びる上記平型導体の本体部から前方へ向けて延出する部分に補強板が貼付された接続部を受け入れるための受入空間が後方に開口していると共に後半部が上方に開放して形成されたハウジングと、上記回路基板の実装面に対して平行な一方向を配列方向として上記ハウジングに配列保持され接触部が上記受入空間内に位置している複数の端子と、開位置と閉位置の間でハウジングに対して回動可能で、開位置で上方に延びる姿勢のもとで平型導体の接続部が端子の接触部へ向け上記受入空間へ進入することを許容する可動部材とを有する上記電気コネクタにおいて、
上記ハウジングは、上記受入空間の両方の側方に位置する側壁に、上記平型導体を案内するための案内部が後方に開口して形成されており、該案内部は、上記端子の配列方向と同一方向をなす上記平型導体の幅方向における該平型導体の上記接続部の両方の側端で上記幅方向外方に延出してから前方へ向け延びることで該側端との間に間隙をもって位置する腕状の被案内部と上記端子の配列方向で対応して位置していて、上記被案内部の両面を案内するように被案内部の厚みより大きい寸法のスリットとして受入空間よりも前方の位置から後方へ向け開口して形成されており、少なくとも上記端子に相当する位置よりも前方に延びていることを特徴とする電気コネクタ。
【発明の詳細な説明】
【技術分野】
【０００１】
本発明は、回路基板の実装面上に配される電気コネクタと該電気コネクタに接続される平型導体との組立体および上記電気コネクタに関する。
【背景技術】
【０００２】
この種の電気コネクタと平型導体との組立体は、例えば、特許文献１に開示されている。この特許文献１では、平型導体は、前後方向に延びる本体部と、該本体部から前方へ向けて延出する接続部と、本体部の側端から前方へ向けて延出し該接続部の両方の側端のそれぞれと間隙をもって位置する冗長部とを有している。該平型導体は、回路基板の実装面上に配された電気コネクタの後方側へ上記接続部が挿入されて接続される。該平型導体の挿入後においては、電気コネクタの幅方向（平型導体の幅方向と同一方向）にて、上記平型導体の冗長部が電気コネクタの側壁の側方位置で該側壁外面に近接して位置する。
【０００３】
この特許文献１では、上記冗長部が電気コネクタ外に位置するので、電気コネクタへの平型導体の挿入過程にて、該平型導体の冗長部を摘んで該平型導体を電気コネクタに挿入でき、挿入過程における操作性が向上することとしている。また、平型導体の挿入後においては、電気コネクタの幅方向で上記冗長部が該電気コネクタの側壁外面に近接するので、該側壁によって冗長部の上記幅方向での移動が規制されることにより、該幅方向での平型導体のずれが防止されることとしている。
【０００４】
また、この特許文献１では、平型導体の挿入後のみならず、挿入過程にであっても、該平型導体の冗長部が電気コネクタの側壁の側方位置に達した後は、上記幅方向における冗長部の移動の規制は可能であるので、該幅方向での平型導体のずれが防止される。
【先行技術文献】
【特許文献】
【０００５】
【特許文献１】特開平７−２６３８２５
【発明の概要】
【発明が解決しようとする課題】
【０００６】
ところで、平型導体が回路基板の実装面上の電気コネクタに接続される際、該平型導体は、該平型導体の後端側をもち上げるような傾斜姿勢のもとで電気コネクタに向けてもたらされることが多い。上述の特許文献１では、平型導体の冗長部は、電気コネクタの幅方向にて該電気コネクタの側壁外面の側方、すなわち該電気コネクタの外部に位置しているので、上記冗長部の厚さ方向では該電気コネクタから何ら規制を受けていない。したがって、この特許文献１では、平型導体の接続直前にて、該平型導体の傾斜姿勢が不安定となり、該平型導体を円滑に電気コネクタに挿入しにくい。
【０００７】
このような事情に鑑みて、本発明は、電気コネクタに平型導体を接続する際の該平型導体の傾斜姿勢を安定させ、該平型導体を電気コネクタとの接続位置に円滑かつ確実にもたらすことが可能な電気コネクタと平型導体との組立体および電気コネクタを提供することを目的とする。
【課題を解決するための手段】
【０００８】
＜第一発明＞
第一発明に係る電気コネクタと平型導体との組立体は、回路基板の実装面上に配される電気コネクタと、該電気コネクタに接続される平型導体とを備える上記電気コネクタと上記平型導体との組立体であって、上記平型導体は、絶縁シートに回路部を設けて形成されていて、前後方向に延びる本体部と、該本体部から前方へ向けて延出する部分に補強板が貼付された接続部とを有し、上記電気コネクタは、上記平型導体の上記接続部を受け入れるための受入空間が後方に開口していると共に後半部が上方に開放して形成されたハウジングと、上記回路基板の実装面に対して平行な一方向を配列方向として上記ハウジングに配列保持され上記平型導体の上記接続部が接続される複数の端子とを有している。
【０００９】
かかる電気コネクタと平型導体との組立体において、本発明では、上記平型導体は、上記端子の配列方向と同一方向をなす幅方向で上記接続部の両方の側端で上記幅方向外方に延出してから前方へ向け延びることで該側端との間に間隙をもって位置する腕状の被案内部を有し、該被案内部は上記補強板の一部の領域で形成されていて前端が接続部の前端よりも前方に位置しており、上記電気コネクタの上記ハウジングは、上記端子の配列方向で上記平型導体の上記被案内部と対応して上記受入空間の両方の側方位置で上記被案内部の両面を案内する案内部が受入空間よりも前方の位置から後方へ向け開口してスリットとして形成されていることを特徴としている。
【００１０】
本発明では、平型導体の接続過程にて、電気コネクタの案内部が該平型導体の被案内部の両面を案内することにより、該被案内部の面が傾斜姿勢の規制を受ける。この結果、平型導体全体の傾斜姿勢が安定するので、該平型導体の接続部が電気コネクタの端子との接続位置に円滑かつ確実にもたらされる。
【００１１】
平型導体の被案内部の前端は、接続部よりも前端よりも前方に位置していることとしてもよい。上記被案内部をこのような構成とすることにより、平型導体の接続過程にて、該平型導体の接続部が電気コネクタの受入空間に進入するのに先立って、まず、平型導体の被案内部が電気コネクタの案内部に進入する。この結果、被案内部が案内部によって案内されている状態で、接続部が電気コネクタの受入空間に進入するので、該接続部を端子との接続位置に、より円滑かつ確実にもたらされる。
【００１２】
電気コネクタのハウジングの案内部は、端子の配列方向で外方へ向けても開口していることとしてもよい。上記案内部をこのような構成とすることにより、平型導体の接続過程にて、電気コネクタの側方から被案内部を目視できるので、被案内部が確実に案内されていることを確認できる。
【００１３】
＜第二発明＞
第二発明に係る電気コネクタは、回路基板の実装面上に配され、平型導体が接続される電気コネクタであって、絶縁シートに回路部を設けて形成されていて前後方向に延びる上記平型導体の本体部から前方へ向けて延出する部分に補強板が貼付された接続部を受け入れるための受入空間が後方に開口していると共に後半部が上方に開放して形成されたハウジングと、上記回路基板の実装面に対して平行な一方向を配列方向として上記ハウジングに配列保持され接触部が上記受入空間内に位置している複数の端子と、開位置と閉位置の間でハウジングに対して回動可能で、開位置で上方に延びる姿勢のもとで平型導体の接続部が端子の接触部へ向け上記受入空間へ進入することを許容する可動部材とを有している。
【００１４】
かかる電気コネクタにおいて、上記ハウジングは、上記受入空間の両方の側方に位置する側壁に、上記平型導体を案内するための案内部が後方に開口して形成されており、該案内部は、上記端子の配列方向と同一方向をなす上記平型導体の幅方向における該平型導体の上記接続部の両方の側端で上記幅方向外方に延出してから前方へ向け延びることで該側端との間に間隙をもって位置する腕状の被案内部と上記端子の配列方向で対応して位置していて、上記被案内部の両面を案内するように被案内部の厚みより大きい寸法のスリットとして受入空間よりも前方の位置から後方へ向け開口して形成されており、少なくとも上記端子に相当する位置よりも前方に延びているようになっていることを特徴としている。
【発明の効果】
【００１５】
以上のように、本発明では、平型導体の接続過程にて、電気コネクタの案内部が該平型導体の被案内部の両面を案内することにより、該被案内部の面が傾斜姿勢の規制を受けるので、平型導体全体の傾斜姿勢が安定する。この結果、平型導体の接続部を電気コネクタの端子との接続位置に円滑かつ確実にもたらすことができる。
【図面の簡単な説明】
【００１６】
【図１】本発明の実施形態の平型導体と電気コネクタとが互いに接続されていない状態で示された斜視図である。
【図２】端子配列方向に対して直角な面での電気コネクタの断面図であり、（Ａ）は案内部の位置、（Ｂ）は第一端子の位置、（Ｃ）は第二端子の位置、（Ｄ）は第三端子の位置での断面を示している。
【図３】電気コネクタの受入空間への平型導体の挿入前の状態を示す図であり、（Ａ）は斜視図、（Ｂ）は端子配列方向における案内部の位置での断面図、（Ｃ）は端子配列方向における第一端子の位置での断面図である。
【図４】電気コネクタの案内部への平型導体の被案内部の挿入が開始された直後の状態を示す図であり、（Ａ）は斜視図、（Ｂ）は端子配列方向における案内部の位置での断面図、（Ｃ）は端子配列方向における第一端子の位置での断面図である。
【図５】電気コネクタの案内部への平型導体の被案内部の挿入途中の状態を示す図であり、（Ａ）は斜視図、（Ｂ）は端子配列方向における案内部の位置での断面図、（Ｃ）は端子配列方向における第一端子の位置での断面図である。
【図６】電気コネクタの受入空間への平型導体の挿入が完了し、可動部材が開位置にある状態を示す図であり、（Ａ）は斜視図、（Ｂ）は端子配列方向における案内部の位置での断面図、（Ｃ）は端子配列方向における第一端子の位置での断面図である。
【図７】電気コネクタの受入空間への平型導体の挿入が完了し、可動部材が閉位置にある状態を示す図であり、（Ａ）は斜視図、（Ｂ）は端子配列方向における案内部の位置での断面図、（Ｃ）は端子配列方向における第一端子の位置での断面図である。
【発明を実施するための形態】
【００１７】
以下、添付図面に基づいて本発明の実施形態を説明する。
【００１８】
本実施形態に係る電気コネクタと平型導体との組立体は、回路基板（図示せず）の実装面上に配される電気コネクタ１（以下、単に「コネクタ１」という）と、該コネクタ１に接続される平型導体６０とを備えている。図１は、コネクタ１と平型導体６０とが互いに接続されていない状態で示された斜視図である。図２は、端子配列方向に対して直角な面でのコネクタ１の断面図であり、（Ａ）は案内部１５の位置、（Ｂ）は第一端子２０の位置、（Ｃ）は第二端子３０の位置、（Ｄ）は第三端子４０の位置での断面を示している。
【００１９】
まず、コネクタ１の説明に先立って、平型導体６０について説明する。図１に見られるように、平型導体６０は、部材としては、前後方向に延びる帯状の絶縁シートに回路部（図示せず）が形成されたケーブル６０Ａと、該ケーブル６０Ａの前端側部分（図１にて右上側の部分）の上面に貼付された電気絶縁材製の補強板６０Ｂとから成っている。また、平型導体６０は、形態としては、図１にて一点鎖線で示されるように、後述の本体部６１と、接続部６２と、被案内部６３とを形成している。ケーブル６０Ａの上記回路部は、上記絶縁シート内部に埋設されて、平型導体６０の幅方向に配列されており、前後方向で平型導体６０の前端位置まで延びている。また、該回路部は、前端側部分だけが上記接続部６２の絶縁シートの下面で露呈しており、後述するコネクタ１の端子２０，３０，４０と接触可能となっている。
【００２０】
このような構成の平型導体６０は、前後方向に延びる本体部６１と、該本体部６１から前方へ向けて延出する接続部６２と、上記幅方向での本体部６１の両側端から前方へ向けて延出する被案内部６３とを有している。具体的には、図１に示されるように、接続部６２は、平型導体６０の前端側でコネクタ１と接続される部分であり、本体部６１は、上記接続部６２より後方にあって、コネクタ１との接続状態にて該コネクタ１外に位置する部分である。
【００２１】
接続部６２は、該接続部６２の前端側位置で両側端から平型導体６０の幅方向で外方へ向けて突出する耳状の被係止部６２Ａが形成されている。被係止部６２Ａは、後述するコネクタ１の係止部（図示せず）に対して後方（平型導体６０の抜出方向であり、図１にて左下方）で係止して、コネクタ１からの平型導体６０の不用意な抜けを防止する機能を有している。
【００２２】
被案内部６３は、図１に見られるように、本体部６１の前端側位置で該本体部６１の両側端から平型導体６０の幅方向での外方へ向けて延びてから前方へ向けて延びており、上方から見てＬ字状をなしている。また、被案内部６３は、前方へ延びる部分の内側端６３Ａが接続部６２の両側端のそれぞれと間隙をもつように位置しており、該被案内部６３の前端が接続部６２の前端よりも前方に位置している。被案内部６３は、後述する電気コネクタ１の案内部１５へ挿入され、その挿入の際に該案内部１５により上下方向および端子配列方向に案内されるようになっている。
【００２３】
このような構成の平型導体６０は、ケーブル６０Ａの前端側部分の上面に補強板材を貼付した後、ケーブル６０Ａの前端側部分および上記補強板材を一括して打抜加工を施すことにより作られる。本実施形態では、被係止部６２Ａを含む接続部６２はケーブル６０Ａおよび補強板６０Ｂの二層から成り、被案内部６３は補強板６０Ｂのみの一層から成っている。なお、接続部が二層そして被案内部が一層で構成されることは必須ではなく、該被係止部および被案内部は一層であっても二層であってもよい。また、本実施形態では、平型導体６０に補強板６０Ｂが設けられていることとしたが、補強板は必須の構成ではない。例えば、補強板を設けることなく、ケーブル６０Ａの絶縁シート自体に上述の形状の被係止部および被案内部を形成してもよい。
【００２４】
次に、コネクタ１の構成を説明する。コネクタ１は、平型導体６０の幅方向と同一方向を長手方向として延びるハウジング１０と、該長手方向でハウジング１０に配列保持される複数の第一端子２０、第二端子３０および第三端子４０（図２（Ｂ）〜（Ｄ）参照）と、上記長手方向に延び後述の開位置と閉位置との間で回動可能に支持された可動部材５０とを備えている。以下、第一端子２０、第二端子３０および第三端子４０を、特に区別する必要がない場合には、「端子２０，３０，４０」と総称する。
【００２５】
ハウジング１０は、電気絶縁材で作られており、図１に見られるように、該ハウジング１０の長手方向（以下、「端子配列方向」という）での両端に位置する側壁１１同士間に、平型導体６０の接続部６２と対応して、該接続部６２を受け入れるための受入空間１２が形成されている。該受入空間１２は、端子配列方向全域にわたって、後方に開口しているとともに、後半部が上方に開放されており、平型導体６０の接続部６２を斜め上後方から受け入れることが可能となっている（図４，５参照）。
【００２６】
図１に見られるように、ハウジング１０は、複数の端子２０，３０，４０をそれぞれ保持するための端子保持溝１３が、端子配列方向に配列形成されている。図２（Ｂ）〜（Ｄ）に見られるように、該端子保持溝１３は、ハウジング１０の前端寄り位置（図２（Ｂ）〜（Ｄ）で右端寄り位置）で上下方向に延びる縦溝部分と該ハウジング１０の底壁１４に沿って前後方向に延びる横溝部分とを有しており、端子配列方向から見て、全体として略Ｌ字状をなしているとともに、前後方向に貫通している。
【００２７】
また、ハウジング１０は、端子配列方向での受入空間１２の両端寄り位置、換言すると、端子配列方向で平型導体６０の被係止部６２Ａ（図１参照）と対応する位置で、図２（Ｂ）〜（Ｄ）に見られるように、底壁１４から受入空間１２へ向けて上方に突出する係止突起１６が形成されている。該係止突起１６は、後方に向かうにつれて下方へ傾斜する誘込斜面１６Ａを有しており、該誘込斜面１６Ａで平型導体６０の被係止部６２Ａを前方へ向けて案内するようになっている。また、係止突起１６は、前端面が前後方向に対して直角をなす係止面１６Ｂとして形成されていて、該係止面１６Ｂで平型導体６０の被係止部６２Ａと後方（平型導体６０の抜出方向）に係止するようになっている。また、ハウジング１０は、受入空間１２の両端寄り位置にて、係止突起１６の上方に、後方へ向かうにつれて上方に傾斜する斜面１７が形成されている。換言すると、係止突起１６の上方には、後方へ向かうにつれて上方に拡がる空間１２Ａが形成されている。
【００２８】
図１に見られるように、端子配列方向で受入空間１２の両方の側方位置に設けられた側壁１１は、同方向で平型導体６０の被案内部６３に対応して位置しており、上下方向に対して直角な方向に拡がるスリット状の案内部１５が、前後方向に貫通するとともに端子配列方向で外方へ向けても開口して形成されている。後述するように、案内部１５は、平型導体６０の被案内部６３を後方から受け入れるとともに、上下方向そして端子配列方向での移動を規制して、該被案内部６３を挿入案内する。
【００２９】
案内部１５の内壁面は、上下方向に対して直角をなし互いに対向する上側内壁面１５Ａおよび下側内壁面１５Ｂ（図２（Ａ）参照）、そして端子配列方向に対して直角をなす側方内壁面１５Ｃ（図１参照）から成る。案内部１５は、そのスリットの隙間の寸法、すなわち上側内壁面１５Ａと下側内壁面１５Ｂとの間の距離が平型導体６０の被案内部６３の厚さ寸法よりも若干大きくなっている。
【００３０】
図２（Ａ）によく見られるように、上側内壁面１５Ａは、前後方向全域にわたって、上下方向に対して直角な面として形成されていて、平型導体６０の被案内部６３を前後方向に案内するための同方向での寸法が最大限に確保されている。また、上下方向に対して直角な面が前後方向で十分大きく形成されている場合には、上側内壁面の後端寄り位置に、後方へ向かうにつれて上方へ傾斜する誘込斜面を形成することにより、平型導体６０の被案内部６３をより円滑に導入そして案内できるようにしてもよい。図２（Ａ）によく見られるように、案内部１５の下側内壁面１５Ｂは、後端寄り位置にて、後方に向かうにつれて下方へ傾斜する誘込斜面１５Ｂ−１が形成されている。また、端子配列方向の両端側に位置する二つの案内部１５の側方内壁面１５Ｃ（図１参照）同士間の距離は、平型導体６０の幅方向で対向する二つの被案内部６３の内側端６３Ａ（図１参照）同士間の距離よりも若干小さくなっている。
【００３１】
図２（Ｂ）〜（Ｄ）に見られるように、第一端子２０、第二端子３０および第三端子４０は、互いに形状の異なる端子であるが、いずれも金属板の平坦な板面を維持して板厚方向に打ち抜かれて作られている。該第一端子２０、第二端子３０および第三端子４０は、それぞれの板面が端子配列方向に対して直角をなした姿勢で、端子配列方向で混在するようにしてハウジング１０に配列されている。本実施形態では、ハウジング１０に対して、第一端子２０は後方から、そして第二端子３０および第三端子４０は前方から、端子保持溝１３内に圧入して取り付けられている。以下、図２（Ｂ）〜（Ｄ）に基づいて、第一端子２０、第二端子３０、第三端子４０のそれぞれの形状を説明する。
【００３２】
第一端子２０は、図２（Ｂ）に見られるように、ハウジング１０の前方寄り位置で端子保持溝１３内を上下方向に延びる基部２１と、該基部２１の上端位置、中間位置および下端位置からそれぞれ後方へ向けて延びる上腕部２２、中間腕部２３および下腕部２４とを有している。
【００３３】
上腕部２２は、後端部が受入空間１２内に位置しており、該後端部には、後述の可動部材５０の第一軸部５４を回動可能に規制するための支持凹部２２Ａが下方へ向けて開口して形成されている。中間腕部２３は、基部２１寄り部分で後方に向かうにつれて下方へ傾斜するように延びてからハウジング１０の底壁１４に沿って端子保持溝１３内で後方へ向けて延びており、上下方向に弾性変位可能となっている。該中間腕部２３の後端部には上方へ向けて突出する接触突部２３Ａが形成されている。該接触突部２３Ａは、端子保持溝１３から突出して受入空間１２内に位置していて、平型導体６０の接続部６２と接触可能となっている。
【００３４】
下腕部２４は、ハウジング１０の底壁１４に沿って端子保持溝１３内で後方へ向けて直状に延びている。該下腕部２４の後端部は、下方に向けて端子保持溝１３外に延出する接続部２４Ａが形成されており、該接続部２４Ａが回路基板の対応回路部（図示せず）と半田接続されるようになっている。
【００３５】
第二端子３０は、図２（Ｃ）に見られるように、ハウジング１０の前方寄り位置で端子保持溝１３内を上下方向に延びる基部３１と、該基部３１の上端位置および下端位置からそれぞれ後方へ向けて延びる上腕部３２および下腕部３３と、基部３１の下端位置から前方へ向けて延びる接続部３４とを有している。
【００３６】
上腕部３２は、後端部が受入空間１２内に位置しており、該後端部には、後述の可動部材５０の第二軸部を回動可能に規制するための支持凹部３２Ａが後方へ向けて開口して形成されている。下腕部３３は、端子保持溝１３内で、後方に向かうにつれて上方へ傾斜するように延びており、上下方向に弾性変位可能となっている。該下腕部３３の後端部には上方へ向けて突出する接触突部３３Ａが形成されている。該接触突部３３Ａは、端子保持溝１３から突出して受入空間１２内に位置していて、平型導体６０の接続部６２と接触可能となっている。該接触突部３３Ａは、第一端子２０の接触突部２３Ａよりも前方に位置している。接続部３４は、基部３１の下端位置から前方へ向けて端子保持溝１３外へクランク状に延出しており、回路基板の対応回路部（図示せず）と半田接続されるようになっている。
【００３７】
第三端子４０は、図２（Ｄ）に見られるように、ハウジング１０の前方寄り位置で端子保持溝１３内を上下方向に延びる基部４１と、該基部４１の上端位置、中間位置および下端位置からそれぞれ後方へ向けて延びる上腕部４２、中間腕部４３および下腕部４４と、基部４１の下端位置から前方へ向けて延びる接続部４５とを有している。
【００３８】
上腕部４２および中間腕部４３は、それぞれの後端部が受入空間１２内に位置しており、後端部同士間で後述の可動部材５０の第三軸部５６を回動可能に規制している。下腕部４４は、端子保持溝１３内で、後方に向かうにつれて上方へ傾斜するように延びており、上下方向に弾性変位可能となっている。該下腕部４４の後端部には上方へ向けて突出する接触突部４４Ａが形成されている。該接触突部４４Ａは、端子保持溝１３から突出して受入空間１２内に位置していて、平型導体６０の接続部６２と接触可能となっている。該接触突部４４Ａは、前後方向で第二端子３０の接触突部３３Ａと同位置に設けられている。接続部４５は、基部４１の下端位置から前方へ向けて端子保持溝１３外へクランク状に延出しており、回路基板の対応回路部（図示せず）と半田接続されるようになっている。
【００３９】
次に、可動部材５０の構成を説明する。可動部材５０は、電気絶縁材で作られており、図１に見られるように、端子配列方向にてハウジング１０の受入空間１２とほぼ同じ寸法で延びている。可動部材５０は、端子配列方向に見て、上下方向に延びた姿勢をなす開位置（図２〜６参照）と、前後方向に延びた姿勢をなす閉位置（図７参照）との間で回動可能となっている。可動部材５０が開位置にあるときは、受入空間１２への平型導体６０の接続部６２の挿入が許容され、可動部材５０が閉位置にあるときは、受入空間１２に挿入された接続部６２が可動部材５０によって端子２０，３０，４０の接触突部２３Ａ，３３Ａ，４４Ａへ向けて圧せられる。
【００４０】
図２（Ｂ）〜（Ｄ）によく見られるように、可動部材５０は、端子配列方向にて端子２０，３０，４０と対応する位置で、開位置にある状態での下部にスリット状の溝部５１，５２，５３がそれぞれ形成されている。また、該溝部５１，５２，５３のそれぞれにおいて、互いに対向する溝内壁面（紙面に対して直角な面）同士を連結する第一軸部５４、第二軸部５５および第三軸部５６が島状に形成されている。第一軸部５４、第二軸部５５および第三軸部５６は、端子配列方向から見て、同位置に形成されており、可動部材５０の回動中心をなしている。
【００４１】
図２（Ｂ）〜（Ｄ）に見られるように、第一軸部５４、第二軸部５５および第三軸部５６は、それぞれ第一端子２０の支持凹部２２Ａ内、第二端子３０の支持凹部３２Ａ内そして第三端子４０の上腕部４２と中間腕部４３の後端部同士間に位置していて、回動可能に、且つ、外れないように規制されている。また、本実施形態では、可動部材５０は、端子配列方向での側端位置に設けられた被ロック部（図示せず）が、ハウジング１０の両側壁１１の互いに対向する壁面（受入空間１２側の壁面）に設けられたロック部（図示せず）に係合することによって、開位置或いは閉位置にロックされるようになっている。
【００４２】
次に、図３〜５に基づいて、コネクタ１と平型導体６０との接続動作を説明する。図３〜５では、端子配列方向に対して直角な断面として、コネクタ１の案内部１５の位置での断面と、第一端子２０の位置での断面を示している。該第二端子３０および第三端子４０の位置での接続動作は、第一端子２０の位置での接続動作と同様であるので、該第二端子３０および第三端子４０の位置での断面の図示は省略する。
【００４３】
まず、コネクタ１の端子２０，３０，４０の接続部２４Ａ，３４，４５を回路基板の対応回路部と半田接続することにより、コネクタ１を該回路基板の実装面に配置する。また、コネクタ１の可動部材５０を開位置に位置させておく。次に、図３（Ａ）〜（Ｃ）に見られるように、平型導体６０を、該平型導体６０の後端側がもち上げられ回路基板に対して傾斜した姿勢（以下、「傾斜姿勢」という）で、コネクタ１の後上方に位置させる。
【００４４】
次に、図４（Ａ）〜（Ｃ）に見られるように、上記傾斜姿勢を維持したまま、平型導体６０をコネクタ１の後上方から該コネクタ１へ向けて移動させる。本実施形態では、平型導体６０は、被案内部６３の前端が接続部６２の前端よりも前方に位置しているので、図４（Ｂ）と図４（Ｃ）とを比較すると判るように、被案内部６３は、接続部６２がコネクタ１の受入空間１２に到達するのに先立って、コネクタ１の案内部１５の後端側の開口部（以下、「後端開口部」という）に到達する。また、本実施形態では、側壁１１の後端側には誘込斜面１５Ｂ−１が形成されていて、案内部１５の上記後端開口部が広くなっている。したがって、該後端開口部に被案内部６３を容易に位置させることができ、また、被案内部６３を誘込斜面１５Ｂ−１で案内させて案内部１５の奥部へ容易に挿入できる。
【００４５】
次に、図５（Ａ）〜（Ｃ）に見られるように、平型導体６０をさらに前方へ向けて移動させる。図５（Ｂ）に見られるように、平型導体６０の被案内部６３は、案内部１５内を前方へ向けて進入するとき、該被案内部６３の両面（上面および下面）がコネクタ１の案内部１５の上側内壁面１５Ａおよび下側内壁面１５Ｂに規制されて案内される。このように、被案内部６３の両面が案内されることにより、被案内部６３の傾斜姿勢が規制されるので、平型導体６０全体の傾斜姿勢が安定する。また、被案内部６３の両面が案内部１５で案内されながら前進するにつれて、平型導体６０全体が、回路基板に対する傾斜角度を徐々に減少させ、該回路基板に対して平行な姿勢に近づく。
【００４６】
一方、平型導体６０の被係止部６２Ａは、図５（Ａ），（Ｃ）では変位していない状態で図示されているが、実際には、係止突起１６の案内面１６Ａに当接した後、該被係止部６２Ａの側端が上方へもち上がるようにして該案内面１６Ａに沿って変位して、該案内面１６Ａに摺接しながら前方へ案内される。被係止部６２Ａの上述の変位は、係止突起１６の上方に形成された空間１２Ａによって許容される。
【００４７】
また、本実施形態では、被案内部６３は、該被案内部６３の内側端６３Ａ（図１参照）が、案内部１５の側方内壁面１５Ｃ（図１参照）に近接して対面するので、平型導体６０の幅方向での移動も該側方内壁面１５Ｃによって規制される。このように、本実施形態では、平型導体６０の被案内部６３は案内部１５の内壁面によって上下方向および上記幅方向での移動が規制された状態で案内されるので、接続部６２が受入空間１２に対して位置決めされ、コネクタ１の受入空間１２内へ接続部６２を円滑かつ確実に導入することが可能となる。
【００４８】
また、本実施形態では、案内部１５は、コネクタ１の幅方向での外方へ向けて開口しているので、平型導体６０の接続過程にて、該被案内部６３が案内部１５によって確実に案内されていることを目視により確認できる。
【００４９】
さらに平型導体６０を挿入すると、図６（Ｃ）に見られるように、接続部６２が可動部材５０と第一端子２０の接触突部２３Ａとの間に進入する。接続部６２の下面が第一端子２０の接触突部２３Ａに当接することにより、中間腕部２３が下方へ向けて弾性変位する。この状態にて、接続部６２の下面で露呈する回路部（図示せず）が接触突部２３Ａに接圧をもって接触する。第二端子３０および第三端子４０においても、上述した第一端子２０と同様に、接続部６２の回路部が第二端子３０の接触突部３３Ａおよび第三端子の接触突部４４Ａと接圧をもって接触する。この結果、平型導体６０が仮保持される。受入空間１２への接続部６２の挿入は、図６（Ｃ）に見られるように、該接続部６２の前端が受入空間１２の前壁面に当接することにより完了する。
【００５０】
受入空間１２への接続部６２の挿入が完了した時点において、図６（Ｂ）に見られるように、被案内部６３の前端は、案内部１５の前端位置に達する。また、平型導体６０の被係止部６２Ａ（図１参照）は、コネクタ１のハウジング１０の係止突起１６を乗り越えて、自由状態に戻り、該係止突起１６の前方に位置する。この結果、該被係止部６２Ａがその後端で上記係止突起１６の係止面１６Ｂに対して係止可能となり、平型導体６０の不用意な抜けが防止される。
【００５１】
次に、開位置にある可動部材５０を回動させて、図７（Ａ）〜（Ｃ）に見られるように、閉位置にもたらす。図７（Ｃ）によく見られるように、可動部材５０は、閉位置にて、平型導体６０の接続部６２を第一端子２０の接触突部２３Ａへ向けて上方から圧する。この結果、第一端子２０の中間腕部２３の下方への弾性変位量が増加して、接続部６２の回路部（図示せず）と第一端子２０の接触突部２３Ａとが接圧が高まり、電気的に導通された状態が確実に維持される。第二端子３０および第三端子４０においても、上述した第一端子２０と同様に、接続部６２の回路部と、第二端子３０の接触突部３３Ａおよび第三端子４０の接触突部４４Ａとの接圧が高められる。このように可動部材５０が閉位置にもたらされることにより、コネクタ１と平型導体６０との接続動作が完了する。
【００５２】
既述したように、本実施形態によれば、平型導体６０の接続過程にて、該平型導体６０の被案内部６３の面の傾斜姿勢が規制を受けることにより、平型導体６０全体の傾斜姿勢が安定するので、平型導体６０の接続部６２をコネクタ１の端子２０，３０、４０との接続位置に円滑かつ確実にもたらすことができる。
【００５３】
また、平型導体６０の傾斜姿勢が安定する結果、平型導体６０の接続過程にて、該平型導体６０の接続部６２の回路部が端子２０，３０，４０の接触突部２３Ａ，３３Ａ，４４Ａに対して、過剰に傾斜した姿勢をもって当接することがなくなる。したがって、該接触突部２３Ａ，３３Ａ，４４Ａとの当接により回路部が折れ曲がったり、削られたりすることを防止できる。
【００５４】
本実施形態では、平型導体６０の被案内部６３の前端が接続部６２の前端よりも前方に位置していることとしたが、変形例として、被案内部の前端が接続部の前端と同位置にあってもよく、また、後方に位置していてもよい。例えば、被案内部の前端が接続部の前端よりも後方に位置している場合には、平型導体の接続過程にて、コネクタの案内部への被案内部の挿入に先立って、接続部の前端が、該コネクタの受入空間の後端側の開口部にもたらされる。この結果、平型導体の傾斜姿勢が規制されて、該平型導体がおおまかに位置決めされる。次に、上記被案内部が上記案内部に挿入されると、平型導体がより正確に位置決めされる。
【００５５】
本実施形態では、平型導体６０の被案内部６３が接続部６２の両方の側端のそれぞれと間隙をもって位置するとともに、コネクタ１の案内部１５が受入空間１２の両方の側方位置に設けられることとしたが、これに代えて、平型導体の被案内部が接続部の一方の側端と間隙をもって位置するとともに、コネクタの案内部が上記被案内部と対応して受入空間の一方の側方位置に設けられていてもよい。
【００５６】
本実施形態では、コネクタ１の案内部１５は、コネクタの幅方向での外方へ向けて開口していることとしたが、これに代えて、案内部は、例えば上記外方へ向けて開口することなく前後方向に貫通した孔部として形成されていてもよい。
【００５７】
本実施形態では、コネクタ１に形成された係止突起１６と平型導体６０の被係止部６２Ａとが係止することとしたが、係止突起および被係止部は必須の構成ではなく、設けられていなくてもよい。
【符号の説明】
【００５８】
１  コネクタ（電気コネクタ）            ４０  第三端子（端子）
１０  ハウジング                        ６０  平型導体
１２  受入空間                          ６１  本体部
１５  案内部                            ６２  接続部
２０  第一端子（端子）                  ６３  被案内部
３０  第二端子（端子）
【図１】
0005697631.tif 000002
【図２】
0005697631.tif 000003
【図３】
0005697631.tif 000004
【図４】
0005697631.tif 000005
【図５】
0005697631.tif 000006
【図６】
0005697631.tif 000007
【図７】
0005697631.tif 000008